(57)【要約】【課題】異なる厚さの天板に簡単に装着する。【解決手段】背板１１の左辺部１１ｂおよび右辺部１１ｃの上部にアーム１２−１および１２−２の後端部の近傍が略垂直に取付けられ、背板１１の下方の端部の近傍にアーム１２−１および１２−２と同じ方向にかつ略平行に座板１３が取付けられ、アーム１２−１および１２−２と座板１３に対して、アーム止め１４−１および１４−２が背板１１から離れた位置で取付けられる。また、座板１３の凸部５３の中央に、嵌合凹部７１−１乃至７１−６のいずれかが嵌合され、背板１１と略平行に当接板１５が所定の高さに取付けられる。以上のようにして保持具１５０が組立てられる。保持具１５０は、アーム前部１２−１ｄおよび１２−２ｄと当接板１５の左辺部１５ａとの間でテーブルの天板を挟むようにテーブルに装着される。本考案はテーブルに装着される椅子に適用することができる。【選択図】図３
0003110772.tif 000002
【実用新案登録請求の範囲】
【請求項１】
テーブルの天板に着脱自在に装着される椅子において、
左右に配置される一対の第１の部材と、
前記第１の部材の後端部の近傍に略垂直に取り付けられる第２の部材と、
前記第２の部材の下方の端部の近傍に、前記第１の部材と同じ方向にかつ略平行に取り付けられる第３の部材と、
前記第１の部材と前記第３の部材に対して、前記第２の部材から離れた位置で取り付けられる一対の第４の部材と、
前記第３の部材に取り付けるための取付部が複数個形成されており、前記第３の部材の、前記第２の部材が取り付けられる端部と反対側の端部の近傍に着脱自在に取り付けられる第５の部材と
を備えることを特徴とする椅子。
【請求項２】
前記第２の部材は、前記第１の部材と前記第３の部材を取り付けるための取付部が、前記第１の部材と前記第３の部材の相互の間隔が調整できるように、複数個形成されている
ことを特徴とする請求項１に記載の椅子。
【請求項３】
前記第４の部材の前記第１の部材と前記第３の部材に対する取付部は、前記第４の部材と前記第２の部材との間隔が調整できるように形成されている
ことを特徴とする請求項１または２に記載の椅子。
【請求項４】
前記第１の部材乃至前記第５の部材は、略同一の厚さの板状部材であり、着脱自在に取り付けられる
ことを特徴とする請求項１乃至３のいずれかに記載の椅子。
【請求項５】
前記椅子は、ぬいぐるみまたはペット用の椅子である
ことを特徴とする請求項１乃至４のいずれかに記載の椅子。
【考案の詳細な説明】
【技術分野】
【０００１】
本考案は、椅子に関し、特に、異なる厚さの天板に簡単に装着することができるようにした椅子に関する。
【背景技術】
【０００２】
幼児は大人に較べて身長が低いため、テーブルにおいて大人が座る椅子と同じ椅子に座ると、顔がテーブルの近傍に位置することになり、食事をするのが困難になる。そこで、幼児用の椅子が提案されている（例えば、登録実用新案第３００９７２９号）。
【０００３】
この考案においては、Ｕ字状の鉄パイプに布が取り付けられている。この布はパイプからＵ字状に垂れ下がるように取り付けられているので、そこに幼児が座ることができる。パイプの布が取り付けられていない部分は、テーブルの上に配置できるように構成されている。このパイプには、椅子がテーブルに装着されたとき、テーブルの下に延びるように別のパイプが固定されている。テーブルを上のパイプと下のパイプで挟むようにして椅子がテーブルに装着される。
【考案の開示】
【考案が解決しようとする課題】
【０００４】
しかしながら、この椅子はテーブルの天板の厚さが異なると、その取付位置が傾斜してしまう問題があった。
【０００５】
本考案は、このような状況に鑑みてなされたものであり、異なる厚さの天板に簡単に装着することができるようにするものである。
【課題を解決するための手段】
【０００６】
本考案の側面は、テーブルの天板に着脱自在に装着される椅子において、左右に配置される一対の第１の部材と、第１の部材の後端部の近傍に略垂直に取り付けられる第２の部材と、第２の部材の下方の端部の近傍に、第１の部材と同じ方向にかつ略平行に取り付けられる第３の部材と、第１の部材と第３の部材に対して、第２の部材から離れた位置で取り付けられる一対の第４の部材と、第３の部材に取り付けるための取付部が複数個形成されており、第３の部材の、第２の部材が取り付けられる端部と反対側の端部の近傍に着脱自在に取り付けられる第５の部材とを備えることを特徴とする椅子である。
【０００７】
本考案の側面においては、テーブルの天板に着脱自在に装着される椅子において、左右に配置される一対の第１の部材の後端部の近傍に略垂直に第２の部材が取り付けられ、第２の部材の下方の端部の近傍に、第１の部材と同じ方向にかつ略平行に第３の部材が取り付けられる。第１の部材と第３の部材に対して、第２の部材から離れた位置に一対の第４の部材が取り付けられる。第３の部材の、第２の部材が取り付けられる端部と反対側の端部の近傍には、第５の部材が脱自在に取り付けられる。この第５の部材には、第３の部材に取り付けるための取付部が複数個形成されている。
【考案の効果】
【０００８】
本考案によれば、ぬいぐるみやペットをテーブルの席に着くように座らせることができる。特に、本考案によれば、異なる厚さの天板に簡単に装着することができる。
【考案を実施するための最良の形態】
【０００９】
以下に、本考案の実施の形態について図面を参照して説明する。
【００１０】
図１は、本考案の一実施の形態に係る椅子を構成する各部材の配置を説明する図である。板１は椅子を構成する各部材が形成されている１枚の板である。板１は例えば、長方形の板であり、薄い（例えば厚さが３乃至８mm程度の）木（合板）またはプラスチックの板である。すなわち、各部材は１枚の板１から所定の形状に切り出すことで同じ厚さの部材として形成される。換言すれば、各部材を切り出した後の板１（各部材の形状に対応した孔が形成されている）の各孔に各部材を係合すれば１枚の板となる。その状態で販売したり、収容することで空間の利用効率が向上する。
【００１１】
勿論、各部材を別の板から切り出すようにしてもよい。この場合でも、各部材は板状なので、収容は容易である。
【００１２】
椅子を構成する部材として、板１には、第２の板状部材としての背板１１、第１の板状部材としてのアーム１２−１およびアーム１２−２、第３の板状部材としての座板１３、第４の板状部材としてのアーム止め１４−１およびアーム止め１４−２、並びに第５の板状部材としての当接板１５が形成されている。
【００１３】
以下において、上下左右および縦横とは、特にことわらない限り、各図に対する上下左右および縦横を意味する。また以下において、“端”とは、必ずしも物の縁をいうものではなく、縁に近い部分も“端”という。
【００１４】
背板１１は例えば、図１の横方向に長い略長方形を成し、その上辺部１１ａは円弧状に形成されている。背板１１の左辺部１１ｂの上部には、右方向（内側）に凹んだスリット状（細長い長方形状）の嵌合凹部３１−１が形成されている。同様に、背板１１の右辺部１１ｃの上部には、嵌合凹部３１−１と同じ高さに、左方向（内側）に凹んだスリット状の嵌合凹部３１−２が形成されている。
【００１５】
なお、嵌合凹部３１−１および３１−２は、後述する他の嵌合凹部と同様に他の部材を取付けるための取付部を構成する。
【００１６】
背板１１の中央の下方には、楕円状の孔３２が形成されている。背板１１の孔３２より下であって、下辺部１１ｄの上の左端（左辺部１１ｂに近い部分）には横方向に細長い長方形の孔である嵌挿孔部３３−１が形成され、同様に下辺部１１ｄの上の右端（右辺部１１ｃに近い部分）には、嵌挿孔部３３−１と同じ高さに、横方向に細長い長方形の孔である嵌挿孔部３３−２が形成されている。
【００１７】
アーム１２−１は図１の縦方向に長い略長方形を成し、その図１の上方向の先端部１２−１ａは円弧状に形成されている。アーム１２−１の左辺部１２−１ｂの下端には、右方向（内側）に凹んだスリット状の嵌合凹部４１−１が形成されている。アーム１２−１の右辺部１２−１ｃの略中央には、左方向（内側）に凹んだスリット状の嵌合凹部４２−１が形成されている。
【００１８】
同様にアーム１２−２は図１の縦方向に長い略長方形を成し、その図１の上方向の先端部１２−２ａは円弧状に形成されている。アーム１２−２の右辺部１２−２ｂの下端には、左方向に凹んだスリット状の嵌合凹部４１−２が形成されている。アーム１２−２の左辺部１２−２ｃの中央には、右方向（内側）に凹んだスリット状の嵌合凹部４２−２が形成されている。
【００１９】
座板１３は例えば、図１の横方向に長い略長方形を成している。座板１３の上辺部１３ａの左端には図１の上方向に突出した嵌挿凸部５１−１が形成され、右端には図１の上方向に突出した嵌挿凸部５１−２が形成されている。
【００２０】
座板１３の左辺部１３ｂの下端には、右方向（内側）に凹んだスリット状の嵌合凹部５２−１が形成され、同様に座板１３の右辺部１３ｃの下端には、左方向（内側）に凹んだスリット状の嵌合凹部５２−２が同じ高さに形成されている。
【００２１】
座板１３の下辺部１３ｄの略中央には、下方向に突出した凸部５３が形成されている。その凸部５３の下部の略中央には、上方向（内側）に凹んだスリット状の嵌合凹部５４が形成されている。
【００２２】
アーム止め１４−１は図１の縦方向に長い略長方形を成し、その上辺部１４−１ａおよび下辺部１４−１ｂは円弧状に形成されている。アーム止め１４−１の右辺部１４−１ｃの上端には左方向（内側）に凹んだスリット状の嵌合凹部６１−１が形成され、下端には左方向（内側）に凹んだスリット状の嵌合凹部６２−１が形成されている。
【００２３】
同様にアーム止め１４−２は図１の縦方向に長い略長方形を成し、その上辺部１４−２ａおよび下辺部１４−２ｂは円弧状に形成されている。アーム止め１４−２の左辺部１４−２ｃの上端には右方向（内側）に凹んだスリット状の嵌合凹部６１−２が形成され、下端には右方向（内側）に凹んだスリット状の嵌合凹部６２−２が形成されている。
【００２４】
当接板１５は図１の横方向に長い略長方形を成し、その左辺部１５ａおよび右辺部１５ｂは円弧状に形成されている。当接板１５の下辺部１５ｃには上方向（内側）に凹んだスリット状の嵌合凹部７１−１，７１−３、および７１−５が左から右方向に順に並んで形成されている。また、当接板１５の上辺部１５ｄには下方向（内側）に凹んだスリット状の嵌合凹部７１−２，７１−４、および７１−６が左から右方向に順に並んで形成されている。
【００２５】
当接板１５において嵌合凹部７１−１乃至７１−６は順に、一定のピッチ（間隔）となるように当接板１５の両側辺に交互に配列されている。嵌合凹部は当接板１５の一方の側辺にのみ設けてもよいが、両辺に交互に配置した方が、嵌合凹部の一方の辺におけるピッチを広くすることができ、当接板１５の嵌合凹部近傍の強度を確保することができる。
【００２６】
以下、１対のアーム１２−１および１２−２を個々に区別する必要のないとき、単にアーム１２と称する。先端部１２−１ａおよび１２−２ａを個々に区別する必要のないとき、単に先端部１２ａと称する。また、１対のアーム止め１４−１および１４−２を個々に区別する必要のないとき、単にアーム止め１４と称する。さらに嵌合凹部７１−１乃至７１−６を個々に区別する必要のないとき、単に嵌合凹部７１と称する。
【００２７】
背板１１乃至当接板１５は、板１に嵌挿された状態、または板１から取り外された状態で販売される。ユーザはこれらを以下のようにして組み立てる。
【００２８】
次に図２を参照して、背板１１乃至当接板１５により構成される椅子１５０の組み立てを説明する。
【００２９】
アーム１２−１は、その嵌合凹部４１−１が背板１１の左側の嵌合凹部３１−１に嵌合されることで、背板１１に略垂直に取り付けられる。このときアーム１２−１は、嵌合凹部４１−１の底部４１−１ａが嵌合凹部３１−１の底部３１−１ａに接触するまで、背板１１に嵌挿される。
【００３０】
同様にアーム１２−２は、その嵌合凹部４１−２が背板１１の右側の嵌合凹部３１−２に嵌合されることで、背板１１に略垂直に取り付けられる。このときアーム１２−２は、嵌合凹部４１−２の底部４１−２ａが嵌合凹部３１−２の底部３１−２ａに接触するまで、背板１１に嵌挿される。
【００３１】
座板１３は、その嵌挿凸部５１−１および嵌挿凸部５１−２のそれぞれが背板１１の嵌挿孔部３３−１および嵌挿孔部３３−２に嵌挿されることで、背板１１に略垂直にかつ、アーム１２−１および１２−２と同じ方向にかつ略平行に取り付けられる。このとき座板１３は、座板１３の上辺部１３ａが背板１１の表面１１ｅに接触するまで、背板１１に嵌挿される。
【００３２】
その後、アーム止め１４−１は、その嵌合凹部６１−１がアーム１２−１の嵌合凹部４２−１に嵌合されると共に、嵌合凹部６２−１が座板１３の嵌合凹部５２−１に嵌合されることで、アーム１２−１および座板１３に取り付けられる。このときアーム止め１４−１は、嵌合凹部６１−１の底部６１−１ａが嵌合凹部４２−１の底部４２−１ａに接触すると共に、嵌合凹部６２−１の底部６２−１ａが嵌合凹部５２−１の底部５２−１ａに接触するまで、アーム１２−１および座板１３に嵌挿される。
【００３３】
同様にアーム止め１４−２は、その嵌合凹部６１−２がアーム１２−２の嵌合凹部４２−２に嵌合されると共に、嵌合凹部６２−２が座板１３の嵌合凹部５２−２に嵌合されることで、アーム１２−２および座板１３に取り付けられる。このときアーム止め１４−２は、嵌合凹部６１−２の底部６１−２ａが嵌合凹部４２−２の底部４２−２ａに接触すると共に、嵌合凹部６２−２の底部６２−２ａが嵌合凹部５２−２の底部５２−２ａに接触するまで、アーム１２−２および座板１３に嵌挿される。
【００３４】
以上のように、アーム止め１４はアーム１２と座板１３とを連結して取り付ける。アーム１２−１および１２−２と座板１３は略平行となり、背板１１とアーム止め１４−１および１４−２は略平行となる。また、左右のアーム１２−１と１２−２も略平行となる。これにより、椅子１５０においてアーム１２と座板１３とが、がたつくことを防ぐことができる。
【００３５】
アーム１２乃至アーム止め１４が背板１１に固定された後、当接板１５は、その嵌合凹部７１−１乃至７１−６のいずれかが座板１３の嵌合凹部５４に嵌合されることで、座板１３に背板１１と略平行に取り付けられる。このとき当接板１５は、嵌合凹部７１−１乃至７１−６のそれぞれに対応する底部７１−１ａ乃至７１−６ａのいずれかが嵌合凹部５４の底部５４ａに接触するまで、座板１３に嵌挿される。
【００３６】
例えば、嵌合凹部７１−５が嵌合凹部５４に嵌合されることで、当接板１５が座板１３に取り付けられる。
【００３７】
組み立ては以上のようにして行われるため、各部材は着脱が自在である。
【００３８】
図３は背板１１乃至当接板１５が組み立てられた状態の椅子１５０の構成を示す斜視図である。図３に示される椅子１５０では、アーム１２−１はアーム止め１４−１によって、アーム前部１２−１ｄとアーム後部１２−１ｅとに分けられる。同様にアーム１２−２はアーム止め１４−２によって、アーム前部１２−２ｄとアーム後部１２−２ｅとに分けられる。
【００３９】
以下、アーム前部１２−１ｄおよび１２−２ｄを個々に区別する必要のないとき、単にアーム前部１２ｄと称する。
【００４０】
組み立てられた椅子１５０は、図４および図５に示されるように、テーブル（天板）１６０に着脱自在に装着される。すなわち、椅子１５０は、上側のアーム前部１２−１ｄおよび１２−２ｄと下側の当接板１５の左辺部１５ａ（テーブル１６０の下面と当接する端部）との間でテーブル１６０を挟む（挿む）ように、テーブル１６０に嵌挿される。
【００４１】
このとき、図５に示されるようにアーム前部１２−１ｄおよび１２−２ｄがテーブル１６０の上側の表面１６０ａに接触するように配置されると共に、当接板１５の左辺部１５ａ（または右辺部１５ｂ）がテーブル１６０の下側の裏面１６０ｂに接触するように配置される。また、椅子１５０は、アーム止め１４−１および１４−２がテーブル１６０の側面１６０ｃに接触するまで、図５において右方向に移動され、テーブル１６０に嵌挿される。
【００４２】
ここで、図５を参照して当接板１５とテーブル１６０の厚みＴの関係について説明する。上述したように当接板１５には、座板１３の嵌合凹部５４と嵌合する６個の嵌合凹部７１−１乃至７１−６が設けられている。６個の嵌合凹部７１−１乃至７１−６のいずれか１つを選択して嵌合凹部５４に嵌合させることにより、アーム前部１２ｄと当接板１５の左辺部１５ａ（または右辺部１５ｂ）との間の高さ（長さ）を変化させる（調節する）ことができる。
【００４３】
これにより、テーブル１６０の厚みＴと同じかまたはそれに最も近い幅に、アーム前部１２ｄと当接板１５の左辺部１５ａ（または右辺部１５ｂ）との間の高さを変更（調節）することができる。従って、このアジャスト機能により、椅子１５０を様々な食卓、机など（以下、単にテーブルと称する）の所定の厚みの天板（トップ）に嵌挿し、装着する（取り付ける）ことができる。アーム前部１２ｄと当接板１５の左辺部１５ａ（または右辺部１５ｂ）の高さは、テーブル１６０の厚みＴより若干狭くし、アーム前部１２ｄと当接板１５を若干弾性変形させることで、その弾性力を利用して椅子１５０をテーブル１６０に強固に装着することができる。
【００４４】
椅子１５０のテーブル１６０への嵌挿の後、図３に示される座板１３の表面１３ｅ上に、ぬいぐるみ１７０（図４および図５参照）が載置（収容）される。すなわち、背板１１の表面１１ｅ、座板１３の表面１３ｅ、並びにアーム後部１２−１ｅおよび１２−２ｅによって形成される空間に、ぬいぐるみ１７０が載置（収容）される。アーム止め１４−１および１４−２と背板１１との間隔は、ぬいぐるみ１７０を載置する空間を確保できるような値とされる。
【００４５】
図４に示されるように、ぬいぐるみ１７０の右の腕１７０ａおよび左の腕１７０ｂのそれぞれは、アーム後部１２−１ｅおよび１２−２ｅに載せることができる。また、図５に示されるように、ぬいぐるみ１７０に尻尾１７０ｃがある場合、尻尾１７０ｃを孔３２（図３参照）を介して、背板１１の外側（表面１１ｅと逆側）に出すようにすることができる。
【００４６】
なお、椅子１５０において孔３２は形成しなくてもよい。
【００４７】
以上のようにして、椅子１５０はぬいぐるみ１７０の椅子として用いられることになる。
【００４８】
ここで、図５を参照して椅子１５０とぬいぐるみ１７０の重さの関係について説明する。ぬいぐるみ１７０が座板１３に載せられることで、座板１３には矢印１８１の方向（図５の下方向）にぬいぐるみ１７０と椅子１５０自身の重みがかかる。このとき座板１３のアーム止め１４が設けられている部分（嵌合凹部５２−１および６２−１、並びに５２−２および６２−２の部分）が支点となり、テコの原理で、凸部５３に矢印１８２の方向（図５の上方向）に力がかかることになる。また、凸部５３は細長く形成されているため弾性変形し、その弾性力によっても凸部５３は矢印１８２の方向に付勢される。このとき、凸部５３は当接板１５と接続されているので、当接板１５に矢印１８２の方向の力がかかることになる。
【００４９】
なお、凸部５３を形成せずに、１本の直線状の下辺部１３ｄに嵌合凹部５４を直接形成してもよいが、そのようにすると、座板１３の全体の弾性変形に基づく力を利用することになるので、当接部１５によるテーブル１６０への当接力は弱くなる。
【００５０】
また、座板１３にぬいぐるみ１７０および椅子１５０自身の重みが矢印１８１の方向にかかることで、座板１３、並びに背板１１およびアーム止め１４を介してアーム１２（アーム前部１２−１ｄおよび１２−２ｄ）にも矢印１８３の方向（図５の下方向）に力がかかることになる。特に、アーム止め１４の付近のアーム前部１２−１ｄおよび１２−２ｄに矢印１８３の方向の力がかかることになる。
【００５１】
従って、当接板１５はテーブル１６０に対して矢印１８２の方向にかかる力でテーブル１６０を押さえ、椅子１５０を支えることになる。アーム前部１２−１ｄおよび１２−２ｄはテーブル１６０に対して矢印１８３の方向にかかる力でテーブル１６０を押さえ、椅子１５０を支えることになる。これにより、椅子１５０がテーブル１６０からずれ落ちることを防ぐことができる。椅子１５０はテーブル１６０に保持される。
【００５２】
なお、上述した椅子１５０にかかる力は、ぬいぐるみ１７０が椅子１５０に載置された場合に発生するように説明したが、当然にぬいぐるみ１７０が椅子１５０に載置されていなくても、椅子１５０自身の重みや弾性力によっても発生し、この力によって椅子１５０がテーブル１６０からずれ落ちることを防ぐ効果が生まれることはいうまでもない。
【００５３】
また、テーブル１６０に椅子１５０を装着してから、ぬいぐるみ１６０を椅子１５０に載置するように説明したが、椅子１５０にぬいぐるみ１６０を載置してから椅子１５０をテーブル１６０に装着するようにしてもよい。
【００５４】
椅子１５０には、ぬいぐるみ（各種の人形等を含む）以外にも、犬や猫等の小動物（ペット）、観賞用の植物などの質量の比較的軽い（例えば、５kg以下の）載置物を載せることができる。ただし、人間（幼児）は座らせない。
【００５５】
以上のように、ユーザは、ドライバなどの組立工具や接着剤を用いずに、容易に椅子１５０を組み立てることができる。また、逆にユーザは椅子１５０を容易に背板１１乃至当接板１５に分解することができる。これにより、ユーザは椅子１５０をスペースを取らずに、狭い空間に容易に収納することができる。また、背板１１乃至当接板１５は薄い板であるため、嵩張ることなく、ユーザは分解した椅子１５０を容易に携帯し、運搬することができる。
【００５６】
椅子１５０は、容易に板１から切り抜く（打ち抜く）ことが可能な簡単な板状部材（背板１１乃至当接板１５）から構成されている。従って、高い費用をかけずに、ぬいぐるみの形状に応じた多様な形の部材からなる板１を製作することができる。
【００５７】
板１は合板またはプラスチックのみで生産が可能である。異素材を使用しないため、板１の面に印刷や塗装を容易に行うことができる。
【００５８】
上述したように、各部材は板１に組み込んだ状態で運搬し、展示し、販売することが可能である。従って、物流における広い倉庫などの保管場所や広い展示スペースを必要とせず、狭い空間を有効利用して、収容することができる。
【００５９】
ユーザはテーブル１６０などの所定の厚みを有するものに、容易に椅子１５０を装着することができる。これにより、ぬいぐるみやペットを、テーブルの席に着くように座らせることができるため、食事中、勉強中、または仕事中であっても、ユーザは自分の傍にぬいぐるみ１７０などを置いて、生活を楽しむことができる。
【００６０】
ユーザは、ぬいぐるみ１７０の椅子として椅子１５０を用いることができる。例えば、ユーザは食事の際に、ぬいぐるみ１７０を載置した椅子１５０をテーブル１６０に装着し、そのテーブル１６０で食事をとる。これにより、ユーザはぬいぐるみ１７０と一緒に食事をしている雰囲気を感じることができる。
【００６１】
椅子１５０は、当接板１５に複数の嵌合凹部７１が形成されているため、テーブルの様々な厚みに対応することができる。
【００６２】
次に、図６乃至図８を参照して、背板１１、アーム１２、および座板１３の他の構成例を説明する。
【００６３】
図６は背板１１の他の構成例を示す斜視図である。図６Ａに示される背板１１においては、上辺部１１ａの略中央にくびれ部１１ａ１を形成することで、その左側と右側に、上方向に突出した突出部２０１−１と突出部２０１−２が形成されている。突出部２０１−１および２０１−２の上辺は、円弧状に形成されている。
【００６４】
このように、背板１１の上辺部１１ａは様々な形状にすることが可能である。これにより、ユーザの好みに合った椅子１５０を提供することができる。
【００６５】
なお、アーム止め１４の上辺部１４−１ａおよび１４−２ａも様々な形状にすることができる。これにより、ユーザの好みに合った椅子１５０を提供することができる。
【００６６】
図６Ｂに示される背板１１において、左辺部１１ｂにおける嵌合凹部３１−１の上部には、図６の右方向（内側）に凹んだスリット状の嵌合凹部２１１−１が形成されている。同様に、右辺部１１ｃにおける嵌合凹部３１−２の上部には、図６の左方向（内側）に凹んだスリット状の嵌合凹部２１１−２が形成されている。
【００６７】
すなわち、図６Ｂの背板１１では、左辺部１１ｂにアーム１２−１と嵌合する嵌合凹部が２個（嵌合凹部３１−１および２１１−１）形成され、同様に右辺部１１ｃにアーム１２−２と嵌合する嵌合凹部が２個（嵌合凹部３１−２および２１１−２）形成されている。
【００６８】
これにより、背板１１に嵌合されるアーム１２と当接板１５の左辺部１５ａ（または右辺部１５ｂ）との間の間隔を調節することができる。従って、当接板１５の嵌合凹部７１−１乃至７１−６と協働して、より細かいピッチでテーブル１６０の厚みＴの変化に対応することができる。また、アーム１２−１および１２−２と座板１３との間隔を調整できるので、ぬいぐるみ１７０の身長が低い場合には両者の間隔を小さくするなどして、ぬいぐるみ１７０を、その大きさに拘わらず、常に最適な状態にして載置することができる。しかもその調整は、テーブル１６０の厚さＴに拘わらず（厚さＴに対応しつつ）行うことができる。
【００６９】
なお、この場合、アーム止め１４−１および１４−２においても、嵌合凹部６１−１および６１−２とは別に、それに対応する嵌合凹部を形成する必要がある。
【００７０】
なお、背板１１の左辺部１１ｂおよび右辺部１１ｃのそれぞれに形成される嵌合凹部の数は３個以上としてもよい。
【００７１】
また、図示は省略するが、嵌合凹部３３−１および３３−２を、それぞれ２個以上形成しても同様の効果を奏することができる。
【００７２】
このように背板１１にアジャスト機能を設ける場合には、当接板１５のアジャスト機能（嵌合凹部７１−１乃至７１−６）を省略することもできる。
【００７３】
さらに、アーム１２−１,１２−２の嵌合凹部４２−１,４２−２を複数個設けるか、または、これを省略し、アーム止め１４−１,１４−２の嵌合凹部６１−１,６１−２を任意の位置にスライドして配置するようにして、背板１１とアーム止め１４−１,１４−２との間隔を調節できるようにしてもよい。この場合、座板１３の嵌合凹部５２−１,５２−２も複数個設けるか、省略する。
【００７４】
図７はアーム１２の先端部１２ａの他の構成例を示す斜視図である。図７Ａに示されるように、アーム１２の先端部１２ａは、例えば、指を象徴する形状に形成することができる。
【００７５】
このように、アーム１２の先端部１２ａを様々な形にすることで、よりユーザの好みに合った椅子１５０を提供することができる。
【００７６】
図７Ｂにおいては、先端部１２ａは、中央に孔２５２を有する略円状に形成され、孔２５２に吸着盤２６１の嵌挿部２６１ａを嵌挿することで、吸着盤２６１が固定されている。
【００７７】
テーブル１６０の表面１６０ａに吸着盤２６１が吸着することによって、椅子１５０がテーブル１６０からよりずれ落ち難くすることができる。
【００７８】
図８は座板１３の他の構成例を示す斜視図である。図８Ａに示される座板１３の下辺部１３ｄにおいて、凸部５３の図８の左側に凹部３０１−１が形成され、右側に凹部３０１−２が形成されている。凹部３０１−１および３０１−２は例えば、アーム止め１４が嵌合される嵌合凹部５２−１と５２−２とを結んだ仮想線上まで凹むように形成される。
【００７９】
これにより、凸部５３がより弾性変形し易くなり、当接板１５をより強い力でテーブル１６０に押圧することができる。従って、椅子１５０がテーブル１６０からよりずれ落ち難くすることができる。また凹部３０１−１および３０１−２はぬいぐるみの足の置き場とすることができる。
【００８０】
図８Ｂに示される座板１３においては、下辺部１３ｄの図８の左端および右端のそれぞれに凸部５３と同様に構成される凸部３１１−１および凸部３１１−２が形成されている。凸部３１１−１および３１１−２のそれぞれには、当接板１５と同様に構成される当接板３２１−１および３２１−２が嵌合される。
【００８１】
このように、下辺部１３ｄに凸部を２個設けると共に、当接板を２個設けることで、当接板による椅子１５０を支える力が強化される。したがって、椅子１６０はテーブル１６０からよりずれ落ち難くなる。また、当接板が１個の場合より、より重いものを椅子１５０に保持させることができる。
【図面の簡単な説明】
【００８２】
【図１】本考案の一実施の形態に係る椅子を構成する各部材の板上の配置を説明する平面図である。
【図２】椅子の組み立てを示す斜視図である。
【図３】組み立てた状態の椅子を示す斜視図である。
【図４】テーブルに装着された状態の椅子を示す斜視図である。
【図５】テーブルに装着された状態の椅子を示す側面図である。
【図６】背板の他の構成例を示す斜視図である。
【図７】アームの先端部の他の構成例を示す斜視図である。
【図８】座板の他の構成例を示す斜視図である。
【符号の説明】
【００８３】
１  板
１１  背板
１２−１および１２−２  アーム
１３  座板
１４−１および１４−２  アーム止め
１５  当接板
１５０  椅子
１６０  テーブル
【図１】
0003110772.tif 000003
【図２】
0003110772.tif 000004
【図３】
0003110772.tif 000005
【図４】
0003110772.tif 000006
【図５】
0003110772.tif 000007
【図６】
0003110772.tif 000008
【図７】
0003110772.tif 000009
【図８】
0003110772.tif 000010